(57)【要約】【課題】先端の傷や打痕を発生させることなくシートをニップ部に進入させることのできるシート搬送装置、画像読取装置及び画像形成装置を提供する。【解決手段】第１搬送ガイド部材Ｂに、従動ローラ１１及びレジストレーションローラ１２のレジストニップ部Ｆのシート搬送方向上流側から少なくともレジストニップ部Ｆまで延びた上部凸部Ｂ１を幅方向に複数設け、第２搬送ガイド部材Ｃに、レジストニップ部Ｆのシート搬送方向上流側から少なくともレジストニップ部Ｆまで延びた下部凸部Ｃ１を幅方向に複数設ける。そして、上部凸部Ｂ１及び下部凸部Ｃ１を、シート搬送方向から見て幅方向に重ならない位置に設け、かつ幅方向から見て重ならない量だけ突出して設ける。【選択図】図２
2013252942.tif 000002
【特許請求の範囲】
【請求項１】
シートを搬送すると共に、シート搬送方向と直交する幅方向に複数設けられた搬送ローラ対と、
シートを前記搬送ローラ対に案内するシート搬送路を構成する第１ガイド部材と、
前記第１ガイド部材に対向して設けられ、前記第１ガイド部材と共に前記シート搬送路を構成する第２ガイド部材と、
前記第１ガイド部材に、幅方向に複数設けられ、前記搬送ローラ対のニップ部のシート搬送方向上流側から少なくとも前記搬送ローラ対のニップ部まで延びた第１凸部と、
前記第２ガイド部材に、幅方向に複数設けられ、前記搬送ローラ対のニップ部のシート搬送方向上流側から少なくとも前記搬送ローラ対のニップ部まで延びた第２凸部と、を備え、
前記第１凸部及び前記第２凸部を、シート搬送方向から見て幅方向に重ならない位置に設け、かつ幅方向から見て重ならない量だけ突出して設けたことを特徴とするシート搬送装置。
【請求項２】
前記第１ガイド部材における前記第１凸部よりもシート搬送方向の上流に設けられた第１リブ部と、
前記第２ガイド部材における前記第２凸部よりもシート搬送方向の上流に設けられた第２リブ部と、を備え、
前記第１凸部と前記第２凸部との間のシートの厚さ方向における間隔は、前記第１リブ部と前記第２リブ部との間のシートの厚さ方向における間隔よりも狭いことを特徴とする請求項１記載のシート搬送装置。
【請求項３】
画像が読み取られるシートが載置される載置部と、
シートの画像を読み取る画像読取部と、
前記載置部から送り出されたシートを前記画像読取部による画像読取位置に搬送する請求項１又は２記載のシート搬送装置と、を備えたことを特徴とする画像読取装置。
【請求項４】
請求項３記載の画像読取装置と、前記画像読取装置により読み取られた原稿画像情報に基づいて画像を形成する画像形成部と、を備えたことを特徴とする画像形成装置。
【発明の詳細な説明】
【技術分野】
【０００１】
本発明は、シート搬送装置、画像読取装置及び画像形成装置に関し、特にシートを搬送ローラ対に案内するシート搬送路の構成に関する。
【背景技術】
【０００２】
従来、デジタル複写機、プリンタ、ファクシミリ等の画像形成装置においては、画像形成部と、画像読取装置とを備え、画像読取装置によって読み取った画像情報に基づいて画像形成部により、画像を形成するようにしたものがある。この画像読取装置の読み取り方法として、シートである原稿をプラテンガラス上に載置した後、圧板により原稿をプラテンガラスに密着させ、この状態で画像読取部を走査させることにより原稿画像を読み取る方法がある。
【０００３】
また、画像読取装置としては、原稿を画像読取部に搬送するシート搬送装置として、ＡＤＦ（自動原稿搬送装置）を備えたものがある。そして、このような画像読取装置では、プラテンガラスの所定の画像読取位置の下方に画像読取部を固定し、この画像読取位置上を、ＡＤＦによって原稿を一定の速度で搬送することにより、原稿画像を読み取る方法（以下、流し読みという）がある。
【０００４】
ここで、原稿画像を流し読みする場合には、原稿給送ローラにより原稿を送り出した後、レジストレーションローラ対により原稿の向きを真っ直ぐに修正し、この後、プラテンガラスに向けて搬送する。そして、プラテンガラスを通過するとき、画像読取部によって画像を読み取り、画像が読み取られた後、原稿を排出に排出する。
【０００５】
ところで、従来から、搬送される原稿が、例えばレジストレーションローラ対等の搬送ローラ対のニップ部に達した際、ジャムや原稿詰まりが発生する場合がある。そこで、従来は、搬送ローラ対の一方のローラ側に、ニップ部への原稿の進入をガイドするガイド部材を配置する構成が提案されている（特許文献１参照）。
【先行技術文献】
【特許文献】
【０００６】
【特許文献１】特開２００９−８３９４０号公報
【発明の概要】
【発明が解決しようとする課題】
【０００７】
しかし、このようなガイド部材を備えた従来のシート搬送装置においては、原稿等のシートを搬送ローラ対のニップ部へ進入させることはできるが、シート先端がニップ部に達する前に、搬送ローラ対の各ローラに衝突する場合がある。この場合、シート先端に傷や打痕が発生してしまう。
【０００８】
そこで、本発明は、このような現状に鑑みてなされたものであり、先端の傷や打痕を発生させることなくシートを搬送ローラ対のニップ部に進入させることのできるシート搬送装置、画像読取装置及び画像形成装置を提供することを目的とするものである。
【課題を解決するための手段】
【０００９】
本発明は、シート搬送装置において、シートを搬送すると共に、シート搬送方向と直交する幅方向に複数設けられた搬送ローラ対と、シートを前記搬送ローラ対に案内するシート搬送路を構成する第１ガイド部材と、前記第１ガイド部材に対向して設けられ、前記第１ガイド部材と共に前記シート搬送路を構成する第２ガイド部材と、前記第１ガイド部材に、幅方向に複数設けられ、前記搬送ローラ対のニップ部のシート搬送方向上流側から少なくとも前記搬送ローラ対のニップ部まで延びた第１凸部と、前記第２ガイド部材に、幅方向に複数設けられ、前記搬送ローラ対のニップ部のシート搬送方向上流側から少なくとも前記搬送ローラ対のニップ部まで延びた第２凸部と、を備え、前記第１凸部及び前記第２凸部を、シート搬送方向から見て幅方向に重ならない位置に設け、かつ幅方向から見て重ならない量だけ突出して設けたことを特徴とするものである。
【発明の効果】
【００１０】
本発明のように、第１及び第２凸部をシート搬送方向から見て幅方向に重ならない位置に設け、かつ幅方向から見て重ならない量だけ突出して設けることにより、先端の傷や打痕を発生させることなくシートをニップ部に進入させることができる。
【図面の簡単な説明】
【００１１】
【図１】本発明の実施の形態に係るシート搬送装置を備えた画像読取装置の構成を説明する図。
【図２】上記画像読取装置に設けられた斜行補正部の構成を説明する図。
【図３】上記斜行補正部に搬送される原稿を案内する第１搬送ガイド部材及び第２搬送ガイド部材の構成を説明する図。
【図４】上記第１搬送ガイド部材に設けられた上部凸部及び第２搬送ガイド部材に設けられた下部凸部の突出量を説明する図。
【図５】上記第１搬送ガイド部材及び第２搬送ガイド部材の他の構成を説明する図。
【発明を実施するための形態】
【００１２】
以下、本発明を実施するための形態について図面を用いて詳細に説明する。図１は、本発明の実施の形態に係るシート搬送装置を備えた画像読取装置の構成を説明する図であり、図１において、１は画像読取装置、１Ａは画像読取装置本体（以下、装置本体という）である。この装置本体１Ａは、上面にプラテンガラス１６１及び原稿台ガラス３が取り付けられると共に、画像が形成されたシートである原稿の画像を読み取る画像読取部（以下、リーダ部という）１５０を備えている。また、画像読取装置１は、リーダ部１５０に原稿Ｄを搬送するシート搬送装置の一例としての原稿搬送装置（以下、ＡＤＦという）２を備えている。
【００１３】
ここで、リーダ部１５０は、原稿Ｄの画像面に光を照射するランプ１５２と、このランプ１５２によって照射された原稿Ｄからの反射光をレンズ１５７に導くミラー１５３，１５５，１５６、電荷結合素子（ＣＣＤ）１５８等によって構成されている。なお、１５９は光学台であり、ランプ１５２とミラー１５３は、この光学台１５９に取り付けられている。この光学台１５９は、不図示のモータの駆動によって原稿台ガラス３と平行に往復移動するようになっている。
【００１４】
また、リーダ部１５０は、ユーザによって選択された、流し読みモード（ＡＤＦ原稿読取モード）と、固定読みモード（原稿台ガラス原稿読取モード）とのいずれかのモードによって原稿を読み取るようになっている。流し読みモードは、ＡＤＦ２により原稿を、停止した光学台１５９の上方のプラテンガラス１６１上の原稿読取位置（画像読取位置）１６０を通過させて原稿の画像を読み取るモードである。
【００１５】
固定読みモードは、ユーザにより原稿台ガラス３上に載置された原稿画像を、光学台１５９を副走査方向に移動させながら読み取るモードである。そして、固定読みモードの場合は、光学台１５９を往復移動することにより、原稿台ガラス３上の原稿が光学的に走査される。
【００１６】
ここで、流し読みモード及び固定読みモードにおいて、原稿からの反射光は、ミラー１５３，１５５，１５６によってレンズ１５７に導かれ、レンズ１５７によってＣＣＤ１５８上に集光される。ＣＣＤ１５８は、原稿情報を反映した反射光を光電変換し、電子的な画像信号として不図示のプリンタ部に出力する、あるいはデータとしてメモリに蓄積する。
【００１７】
なお、固定読みモードにおいては、光学台１５９のホームポジション位置を検知するポジションセンサの位置を基準にして光学台１５９を移動させるモータを正逆転させることにより、光学台１５９を往復移動させる。また、このモータは、ステッピングモータであり、モータには、エンコーダが接続されており、このエンコーダにより、光学台１５９が何パルス分移動したかを検知できるようになっている。したがって、リーダ部１５０は、ポジションセンサとエンコーダからのエンコーダパルスによって、光学台１５９の位置を把握することができる。
【００１８】
ＡＤＦ２は、不図示の蝶番によって後部が装置本体１Ａの上面に接続されており、蝶番を介して装置本体１Ａに開閉自在に設けられている。そして、固定読みモードのときには、ユーザが、ＡＤＦ２の手前を持ち上げ、表出した原稿台ガラス３に原稿を載置するようにしている。
【００１９】
ここで、ＡＤＦ２は、原稿Ｄが載置される載置部である原稿トレイ４を備えており、この原稿トレイ４には、１対の幅方向規制板１９が原稿の給送方向と直交する幅方向にスライド自在に配置されている。そして、この幅方向規制板１９により、原稿トレイ４に積載された原稿Ｄの幅方向を規制することで原稿給送時に、幅方向の位置を揃えて原稿を給送できるようにしている。
【００２０】
また、原稿トレイ４の上方には、上下方向に回動自在な不図示のアームの回動端に回転自在に支持され、アームの回動に伴って昇降する原稿給送ローラ５が設けられている。なお、この原稿給送ローラ５は、原稿トレイ４に原稿Ｄを載置するとき、邪魔にならないよう通常、ホームポジションである上方（図中実線位置）に待避している。
【００２１】
そして、流し読みモードの場合、原稿給送ローラ５は、図中実線の位置から破線の位置に下降して、原稿Ｄの上面に当接し、原稿Ｄを送り出す。この後、原稿給送ローラ５により送り出された原稿Ｄは、分離搬送ローラ８と、分離搬送ローラ８に圧接している分離パッド６とにより構成される分離部により１枚ずつ分離される。なお、原稿給送ローラ５は、分離搬送ローラ８の回転駆動に連れて回転し、原稿をＡＤＦ内に給送するようになっている。また、原稿給送ローラ５によって給送される原稿Ｄを、分離搬送ローラ８と協働して捌き、１枚ずつに分離する分離パッド６としては、分離搬送ローラ８より摩擦が若干小さいゴムなどの摩擦部材を使用している。
【００２２】
次に、分離部により１枚ずつに分離された原稿Ｄは、レジストレーションローラ１２と従動ローラ１１とにより構成される斜行補正部に搬送され、原稿Ｄが斜めになっているときには、この斜行補正部により向きが真っ直ぐになるよう補正される。さらに、斜行補正部により斜行が補正された原稿Ｄは、原稿読取位置１６０の搬送方向上流側（シート搬送方向上流側）に設けられたリードローラ２２とリード従動ローラ１４によりプラテンガラス１６１に向けて搬送される。そして、プラテンガラス１６１を通過するとき、リーダ部１５０によって画像が読み取られる。なお、画像が読み取られた後の原稿Ｄは、原稿読取位置１６０の下流側（シート搬送方向下流側）に位置するリード排出ローラ２３とリード排出従動ローラ１６により、原稿排出ローラ対１８に搬送され、原稿排出ローラ対１８により排出トレイ１０に排出される。
【００２３】
なお、図１において、１６２は、プラテンガラス１６１から原稿をすくい上げるジャンプ台である。また、２１は分離搬送ローラ８から原稿排出ローラ対１８まで原稿を案内するＵ字状に湾曲したシート搬送路である案内パスであり、この湾曲した案内パス２１の内側に上流プラテンローラ２４、下流プラテンローラ２５が配設されている。
【００２４】
ここで、上流プラテンローラ２４及び下流プラテンローラ２５は、流し読み用のプラテンガラス１６１に対向した位置に、プラテンガラス１６１に対して、所定の隙間を設けて配置されている。この隙間は、原稿Ｄの通過を許容する隙間であり、約０．１５ｍｍ〜約０．６ｍｍである。また、この隙間は上流プラテンローラ２４及び上流プラテンローラ２５の外周面における最下点とプラテンガラス１６１との距離である。
【００２５】
ところで、本画像読取装置１においては、図２に示すように、分離部により１枚ずつに分離された原稿を、レジストレーションローラ１２と従動ローラ１１とのニップ部に案内する第１搬送ガイド部材Ｂと、第２搬送ガイド部材Ｃが設けられている。ここで、この第１及び第２搬送ガイド部材Ｂ，Ｃは、案内パス２１の内の、原稿を搬送ローラ対である複数のレジストレーションローラ１２と従動ローラ１１とのニップ部（以下、レジストニップ部という）Ｆに案内するシート搬送路を構成するものである。
【００２６】
そして、図３の（ａ）に示すように、第２搬送ガイド部材Ｃの上方に位置する第１搬送ガイド部材Ｂの第２搬送ガイド部材Ｃに臨む底面Ｂ３には、搬送方向に延びた上部リブＢ２が幅方向に複数、所定の間隔で設けられている。さらに、第１ガイド部材である第１搬送ガイド部材Ｂの底面Ｂ３には、レジストニップ部Ｆの搬送方向上流側から、少なくとも既述した図２に示すようにレジストニップ部Ｆまで延びる第１凸部である上部凸部Ｂ１が幅方向に複数所定の間隔で設けられている。なお、上部凸部Ｂ１は、第１リブ部としての上部リブＢ２よりも下方へ突出している。
【００２７】
また、図３の（ｂ）に示すように、第２ガイド部材である第２搬送ガイド部材Ｃの第１搬送ガイド部材Ｂに臨む底面Ｃ３には、搬送方向に延びた下部リブＣ２が幅方向に複数所定の間隔で設けられている。さらに、第２搬送ガイド部材Ｃの底面Ｃ３には、レジストニップ部Ｆの搬送方向上流側から、少なくとも既述した図２に示すように、レジストニップ部Ｆまで延びる第２凸部である下部凸部Ｃ１が幅方向に複数所定の間隔で設けられている。なお、下部凸部Ｃ１は、第２リブ部としての下部リブＣ２よりも上方へ突出している。
【００２８】
ここで、第１搬送ガイド部材Ｂの上部凸部Ｂ１と第２搬送ガイド部材Ｃの下部凸部Ｃ１は、図２のＥ−Ｅ断面図である図４に示すように幅方向から見て重ならない量だけ突出して設けられている。また、上部凸部Ｂ１と下部凸部Ｃ１との間のシートの厚さ方向における間隔は、上部リブＢ２と下部リブＣ２との間のシートの厚さ方向における間隔よりも狭くなっている。なお、本実施の形態においては、原稿の厚さをｔとすると、上部凸部Ｂ１と下部凸部Ｃ１を、レジストニップ部Ｆに対する突出方向の距離がｔ／２以上となる量、突出させている。
【００２９】
この結果、上部凸部Ｂ１と下部凸部Ｃ１の突出方向の間隔は、原稿の厚さｔと同じ、又は原稿の厚さｔよりも広くなる。なお、上部凸部Ｂ１と下部凸部Ｃ１との突出方向の間隔は、原稿の厚さｔと略同じになるのが好ましい。また、本実施の形態において、上部凸部Ｂ１と下部凸部Ｃ１は、図４に示すように搬送方向から見て幅方向に重ならない位置に設けられている。
【００３０】
そして、このように上部凸部Ｂ１を第１搬送ガイド部材Ｂに、下部凸部Ｃ１を第２搬送ガイド部材Ｃに設けた場合、原稿トレイ４から送り出された原稿Ｄはレジストニップ部Ｆに近づくにつれ、上部凸部Ｂ１と下部凸部Ｃ１の間に進入していく。この際、上部及び下部凸部Ｂ１，Ｃ１は、ｔ／２以上となる量、突出すると共に、搬送方向から見て幅方向に重ならない位置に設けられている。よって、原稿Ｄは、上部及び下部凸部Ｂ１，Ｃ１からシート搬送が滞るような抵抗を受けることなくレジストニップ部Ｆに滑らかに進入していく。
【００３１】
さらに、上部リブＢ２と下部リブＣ２とによって厚さ方向の位置が規制されていたシートの先端は、その後、上部凸部Ｂ１と下部凸部Ｃ１によって厚さ方向の位置がより狭い範囲に規制されながらレジストニップ部Ｆに案内される。ここで、上部凸部Ｂ１と下部凸部Ｃ１の間のシートの厚さ方向における間隔は狭く、また上部凸部Ｂ１と下部凸部Ｃ１との厚さ方向における中間がレジストニップ部Ｆと一致するように設定されているので、シート先端はレジストニップ部Ｆに滑らかに進入していく。なお、上部凸部Ｂ１や下部凸部Ｃ１よりも上流において、上部リブＢ２と下部リブＣ２との間の厚さ方向の間隔をやや広く設定しているが、これはシートとの擦れによる搬送負荷を減らすためである。
【００３２】
つまり、第１搬送ガイド部材Ｂに上部凸部Ｂ１を、第２搬送ガイド部材Ｃに下部凸部Ｃ１を設けることにより、原稿Ｄは、滑らかに、かつレジストレーションローラ１２及び従動ローラ１１に先端が衝突することなく、レジストニップ部Ｆに進入していく。この結果、レジストニップ部Ｆに進入する際、原稿Ｄの先端には傷及び打痕が発生することはない。
【００３３】
以上説明したように、本実施の形態においては、上部及び下部凸部Ｂ１，Ｃ１を搬送方向から見て幅方向に重ならない位置に設け、かつ幅方向から見て重ならない量だけ突出して設けるようにしている。これにより、原稿Ｄを、滑らかに、かつレジストレーションローラ１２及び従動ローラ１１に先端が衝突することなく、レジストニップ部Ｆに進入させることができるようになる。この結果、先端の傷や打痕を発生させることなく原稿Ｄを、幅方向に複数設けられたレジストレーションローラ１２及び従動ローラ１１のレジストニップ部Ｆに進入させることができる。
【００３４】
なお、これまでは図３に示すように、上部凸部Ｂ１と下部凸部Ｃ１は、上部リブＢ２及び下部リブＣ２とは別に配置されているが、例えば、図５に示すように上部リブＢ２２及び下部リブＣ２２と一体的に設けても良い。この場合、図５の（ａ）に示すように、上部リブＢ２２に一体的に設けられた上部凸部Ｂ１１は、レジストニップ部Ｆ近傍において上部リブＢ２２よりも下方に突出して設けるようにする。また、図５の（ｂ）に示すように、下部リブＣ２２と一体的に設けられた下部凸部Ｃ１１は、レジストニップ部Ｆ近傍において上部リブＢ２２よりも上方に突出して設けるようにする。
【００３５】
なお、これまでの説明においては、画像読取装置１に設けられたシート搬送装置であるＡＤＦ２に本発明を適用した場合について説明したが、本発明は、これに限らない。例えば、画像読取装置１により読み取られた原稿画像情報に基づいて画像形成部により画像を形成する画像形成装置に適用することができる。
【符号の説明】
【００３６】
１…画像読取装置、１Ａ…画像読取装置本体、２…原稿搬送装置、４…原稿トレイ、１１…従動ローラ、１２…レジストレーションローラ、２１…案内パス、１５０…画像読取部、Ｂ…第１搬送ガイド部材、Ｂ１，Ｂ１１…上部凸部、Ｂ２，Ｂ２２…上部リブ、Ｃ…第２搬送ガイド部材、Ｃ１，Ｃ１１…下部凸部、Ｃ２，Ｃ２２…下部リブ、Ｄ…原稿、Ｆ…レジストニップ部
【図１】
2013252942.tif 000003
【図２】
2013252942.tif 000004
【図３】
2013252942.tif 000005
【図４】
2013252942.tif 000006
【図５】
2013252942.tif 000007